(57)【要約】【課題】より多くの運転者によるエコドライブの実践を支援するエコドライブ支援装置を提供すること。【解決手段】エコドライブの実践を支援するエコドライブ支援装置１００は、車両Ｖ１の走行状態に基づいてエコドライブが行われているか否かを判定するエコドライブ判定手段１１と、エコドライブが行われた時間の総走行時間に占める比率をエコ度として算出するエコ度算出手段１２と、エコ度算出手段１２が算出したエコ度を表示するエコ度表示手段１３と、を備える。【選択図】図１
2011093532.tif 000002
【特許請求の範囲】
【請求項１】
エコドライブの実践を支援するエコドライブ支援装置であって、
車両の走行状態に基づいて前記エコドライブが行われているか否かを判定するエコドライブ判定手段と、
前記エコドライブが行われた時間の総走行時間に占める比率をエコ度として算出するエコ度算出手段と、
前記エコ度算出手段が算出したエコ度を表示するエコ度表示手段と、
を備えることを特徴とするエコドライブ支援装置。
【請求項２】
前記総走行時間は、イグニッションスイッチがオンされてからオフされるまでの時間である、
ことを特徴とする請求項１に記載のエコドライブ支援装置。
【請求項３】
前記エコドライブは、アイドリングストップを含む、
ことを特徴とする請求項１又は２に記載のエコドライブ支援装置。
【発明の詳細な説明】
【技術分野】
【０００１】
本発明は、エコドライブの実践を支援するエコドライブ支援システム、並びに、そのシステムを構成するエコドライブ支援装置及び特典付与装置に関し、特に、多様な運転者によるエコドライブの実践を促進するエコドライブ支援システム、並びに、そのシステムを構成するエコドライブ支援装置及び特典付与装置に関する。
【背景技術】
【０００２】
従来、運転者のエコドライブに対する努力に応じてエコドライブの実践度を評価するエコドライブ評価システムが知られている（例えば、特許文献１参照。）。
【０００３】
このエコドライブ評価システムは、燃料消費率が所定値より低くなっている時間、又は、加速操作が行われていない時間等、エコドライブを実践した時間を計測し、走行距離が予め設定された距離に達した場合に、エコドライブを実践した時間に基づいてエコドライブ評価指数を算出する。なお、エコドライブ評価指数は、エコドライブを実践した時間が長くなるほど増大する。
【０００４】
そして、このエコドライブ評価システムは、そのエコドライブ評価指数に応じて各種特典を運転者に付与することで、エコドライブの実践を促すようにする。
【先行技術文献】
【特許文献】
【０００５】
【特許文献１】特開２００５−１６４４３号公報
【発明の概要】
【発明が解決しようとする課題】
【０００６】
しかしながら、特許文献１に記載のエコドライブ評価システムは、エコドライブを実践した時間が長いほど高い評価を行うので、長い距離を運転する運転者や比較的混雑の少ない道路を運転する運転者にとっては有利であり、そのような運転者のエコドライブを促進する上で効果的となり得るが、短い距離しか運転しない運転者や比較的混雑の多い道路を走行する運転者に対しては不利となり、そのような運転者のエコドライブに対する関心を殺いでしまうおそれがある。
【０００７】
上述の点に鑑み、本発明は、より多くの運転者によるエコドライブの実践を支援するエコドライブ支援システム、並びに、そのシステムを構成するエコドライブ支援装置及び特典付与装置を提供することを目的とする。
【課題を解決するための手段】
【０００８】
上述の目的を達成するために、第一の発明に係るエコドライブ支援装置は、エコドライブの実践を支援するエコドライブ支援装置であって、車両の走行状態に基づいてエコドライブが行われているか否かを判定するエコドライブ判定手段と、エコドライブが行われた時間の総走行時間に占める比率をエコ度として算出するエコ度算出手段と、前記エコ度算出手段が算出したエコ度を表示するエコ度表示手段と、を備えることを特徴とする。
【０００９】
また、第二の発明は、第一の発明に係るエコドライブ支援装置であって、前記総走行時間は、イグニッションスイッチがオンされてからオフされるまでの時間であることを特徴とする。
【００１０】
また、第三の発明は、第一又は第二の発明に係るエコドライブ支援装置であって、前記エコドライブがアイドリングストップを含むことを特徴とする。
【発明の効果】
【００１１】
上述の手段により、本発明は、より多くの運転者によるエコドライブの実践を支援するエコドライブ支援システム、並びに、そのシステムを構成するエコドライブ支援装置及び特典付与装置を提供することができる。
【図面の簡単な説明】
【００１２】
【図１】本発明に係るエコドライブ支援システムの構成例を示すブロック図である。
【図２】エコドライブ支援装置の構成例を示すブロック図である。
【図３】特典付与装置の構成例を示すブロック図である。
【図４】特典テーブルの構成例を示す図（その１）である。
【図５】特典テーブルの構成例を示す図（その２）である。
【図６】エコドライブ通知処理の流れを示すフローチャートである。
【図７】特典付与処理の流れを示すフローチャートである。
【発明を実施するための形態】
【００１３】
以下、図面を参照しつつ、本発明を実施するための最良の形態の説明を行う。
【実施例】
【００１４】
図１は、本発明に係るエコドライブ支援システムの構成例を示すブロック図であり、エコドライブ支援システムＳＹＳは、エコドライブ支援装置１００を搭載する車両Ｖ１〜Ｖ３、及び、それら車両との間で無線通信を行う特典付与装置Ｃで構成される。
【００１５】
車両Ｖ１〜Ｖ３は、それぞれ、エコドライブ支援装置１００を搭載しており、各車両に搭載されたエコドライブ支援装置１００は、各車両によりエコドライブが行われた時間又は走行距離に基づいてエコ度を算出し、算出したエコ度を特典付与装置Ｃに送信する。
【００１６】
「エコドライブ」とは、省エネルギーに配慮した運転、又は、二酸化炭素若しくは大気汚染物質の排出を抑えるための運転を意味し、例えば、経済速度による走行、エンジンブレーキによる減速、緩やかな加速、アイドリングストップ等が含まれる。また、エコドライブは、渋滞する道路やラッシュの時間帯を避けて車両を利用することをも含む概念である。
【００１７】
「エコ度」とは、エコドライブを行った時間又は距離の総走行時間又は総走行距離に占める割合であり、総走行時間は、例えば、イグニッションスイッチがオンされてからオフされるまでの時間であって、速度ゼロの状態である暖機運転等の時間も含まれるものとし、アイドリングストップによる短期間（例えば、３分間未満）のエンジン停止状態も走行時間に含まれるものとする。
【００１８】
特典付与装置Ｃは、エコドライブ支援装置１００が送信する各車両のエコ度を受信し、受信したエコ度に応じて各種処理を実行する装置であり、例えば、ＥＴＣ(Electric  Toll  Collection  system)等を用いて駐車料金若しくは高速道路の通行料金等を回収するための装置、又は、ガソリンスタンドにおけるガソリン料金算出装置であり、広域無線通信を介して各車両に情報を配信する情報配信サーバであってもよい。
【００１９】
例えば、特典付与装置Ｃであるガソリン料金算出装置は、エコドライブ支援装置１００を搭載した車両がガソリンスタンドに進入したときにその車両のエコ度に関する情報を受信し、受信したエコ度に基づいてガソリン料金に適用する割引率を決定し、割引率が適用されたガソリン料金を算出する。
【００２０】
このようにして、エコドライブ支援システムＳＹＳは、エコ度が高い車両に対する割引率を増大させることにより、エコドライブの実践を促すようにする。
【００２１】
図２は、車両Ｖ１が搭載するエコドライブ支援装置１００の構成例を示すブロック図であり、エコドライブ支援装置１００は、制御装置１、走行状態検出装置２、ナビゲーション装置３、通信装置４、記憶装置５、エコランプ６及び表示装置７を含む。なお、車両Ｖ２、Ｖ３も同様のエコドライブ支援装置１００を搭載しているものとする。
【００２２】
制御装置１は、ＣＰＵ（Central  Processing  Unit）、ＲＡＭ(Random  Access  Memory)、ＲＯＭ（Read  Only  Memory）等を備えたコンピュータであって、例えば、走行情報収集手段１０、エコドライブ判定手段１１、エコ度算出手段１２、エコ度表示手段１３のそれぞれに対応するプログラムをＲＯＭに記憶しながら、各手段に対応する処理をＣＰＵに実行させる。
【００２３】
走行状態検出装置２は、車両の走行状態を検出するための装置であり、例えば、速度センサ、加速度センサ、スロットル開度センサ、ブレーキ圧センサ等であって、各種データを制御装置１に出力する。
【００２４】
ナビゲーション装置３は、ＧＰＳ（Global  Positioning  System）によって取得される車両Ｖ１の位置情報（緯度、経度、高度）と、記憶装置５に記憶される地図情報データベースとに基づいて目的地までの経路を示し、車両Ｖ１を誘導するためのシステムである。
【００２５】
通信装置４は、車両Ｖ１と特典付与装置Ｃとの間の通信を制御するための装置であり、例えば、ＤＳＲＣ(Dedicated  Short  Range  Communication)や携帯電話周波数を用いた無線通信を制御する装置であって、特典付与装置Ｃが発信する要求信号を受信した場合に、エコ度通知信号を特典付与装置Ｃに向けて送信する。
【００２６】
なお、通信装置４は、要求信号を受信することなく、所定位置に接近した場合にエコ度通知信号を発信するようにしてもよく、所定周期でエコ度通知信号を発信するようにしてもよい。
【００２７】
エコ度通知信号は、エコ度に関する情報を含み、また、発信元の車両を特定するための車両識別番号、総走行時間、総走行距離等に関する情報を含んでいてもよい。
【００２８】
記憶装置５は、各種情報を記憶するための装置であり、例えば、ハードディスクやＤＶＤ（Digital  Versatile  Disk）等の記憶媒体であって、地図情報データベース、走行情報データベース５０（以下、「走行情報ＤＢ５０」とする。）等を格納する。
【００２９】
走行情報ＤＢ５０は、走行状態検出装置２が出力する走行状態に関する情報を体系的に記憶するデータベースであり、例えば、走行速度、加速度、スロットル開度、ブレーキ圧等を所定周期（例えば、１秒刻みである。）で記憶する。
【００３０】
エコランプ６は、エコドライブが行われていることを運転者に知らせるための装置であり、例えば、インストルメントパネル内に設置されたＬＥＤ(Light  Emitting  Diode)ランプであって、後述のエコドライブ判定手段１１によりエコドライブが行われていると判定された場合に点灯する。
【００３１】
また、エコランプ６は、エコドライブの継続時間に応じて発光色や輝度を変化させてもよく、例えば、エコドライブの継続時間が長くなるにつれて、黄色、黄緑色、緑色というように発光色を変化させるようにしてもよい。
【００３２】
更に、エコランプ６は、エコドライブが実行されていないと判定された場合に別の色（例えば、赤色である。）を発光させてもよく、エコドライブが行われていない継続時間に応じてその発光色を変化させてもよい。
【００３３】
表示装置７は、各種情報を表示するための装置であり、例えば、ナビゲーション装置３に付属の液晶ディスプレイであって、道路地図や推奨経路の他、エコ度に関する情報を表示する。
【００３４】
エコランプ６は、速度、加速度、スロットル開度、ブレーキ圧等の瞬間値に基づいて判定される現時点におけるエコドライブの状態を簡易かつ迅速に運転者に知らせることができるのに対し、表示装置７は、道路の混雑状況、車速の推移、エアコンの稼働状態等の他の情報を加味してより詳細に算出されたエコ度を運転者に知らせることができる。
【００３５】
次に、制御装置１が有する各種手段について説明する。
【００３６】
走行情報収集手段１０は、車両Ｖ１の走行情報を収集するための手段であり、例えば、走行状態検出装置２が出力する各種情報をそのまま記憶装置５の走行情報ＤＢ５０に記憶したり、或いは、走行状態検出装置２が出力する各種情報を加工して走行情報ＤＢ５０に記憶したりする。
【００３７】
例えば、走行情報収集手段１０は、加速度センサが出力する前後方向の加速度が閾値Ｔ１を超えた場合に、その加速度の値、又は、単にその事実（例えば、ＹＥＳ・ＮＯの二値で表される値である。）を走行情報ＤＢ５０に記憶するようにしてもよく、速度センサが出力する車速が一定の幅に収まった場合に、その速度の値、又は、単にその事実を走行情報ＤＢ５０に記憶するようにしてもよい。
【００３８】
また、走行情報収集手段１０は、ナビゲーション装置３の出力に基づいて車両Ｖ１が走行する道路の種別（高速道路、主要国道等があり、好適には、識別番号で表される。）を走行情報ＤＢ５０に記憶するようにしてもよく、通信装置４を介して取得する渋滞情報、道路規制情報、イベント情報等に基づいて車両Ｖ１が走行する道路の混雑度等を走行情報ＤＢ５０に記憶するようにしてもよい。
【００３９】
エコドライブ判定手段１１は、車両の走行状態がエコドライブであるか否かを判定するための手段であり、例えば、走行状態検出装置２が出力する速度、加速度、スロットル開度、ブレーキ圧等の瞬間値に基づいて現時点でエコドライブを行っているか否かを判定し、その判定結果に応じた制御信号をエコランプ６に出力する。
【００４０】
また、エコドライブ判定手段１１は、エコドライブの継続時間を監視し、その継続時間に応じてエコランプ６に出力する制御信号の内容を変化させるようにしてもよい。エコランプ６の発光色を、その継続時間に応じて変化させるようにするためである。
【００４１】
また、エコドライブ判定手段１１は、走行情報収集手段１０によって走行情報ＤＢ５０に記憶された走行情報を参照しながら所定期間又は所定区間でエコドライブが行われたか否かを判定する。
【００４２】
例えば、エコドライブ判定手段１１は、経済速度での定速運転が行われたことを認識した場合、その期間又は区間でエコドライブが行われたものとする。なお、経済速度は、車両Ｖ１が走行する道路の種別、混雑度、時間帯又は気象条件等に応じて決定される。
【００４３】
また、エコドライブ判定手段１１は、所定速度Ｐ１未満で加速が行われた場合の加速度が閾値Ｔ１未満であったときに、その期間又は区間でエコドライブが行われたものとしてもよい。なお、所定速度Ｐ１、閾値Ｔ１も、経済速度と同様に、車両Ｖ１が走行する道路の種別、混雑度、時間帯又は気象条件等に応じて決定される。
【００４４】
更に、エコドライブ判定手段１１は、エアコンの設定温度を参照し、エアコンの設定温度が所定範囲外であれば、一旦、他の条件によりエコドライブが行われているものと判定された場合であっても、その期間又は区間ではエコドライブが行われていないものとしてもよい。エアコンを効かせ過ぎる行為は、燃料消費率を悪化させ、エコドライブに反するからである。
【００４５】
エコ度算出手段１２は、各車両のエコ度を算出するための手段であり、例えば、エコドライブ判定手段１１によりエコドライブが行われたと判定された時間又は区間距離を全て加算して、エコドライブが行われた時間又は距離の総走行時間又は総走行距離に占める割合をエコ度として算出する。
【００４６】
また、エコ度算出手段１２は、例えば、これまでのラッシュ利用率（ラッシュ時間帯に車両を使用した時間の総走行時間に占める割合である。）、又は、渋滞遭遇率（渋滞に巻き込まれた時間の総走行時間に占める割合である。）等を導き出し、既に算出したエコ度を調整するようにしてもよい。
【００４７】
例えば、エコ度算出手段１２は、ラッシュ利用率又は渋滞遭遇率が高い場合に、その車両のエコ度を低めに調整したり、閑散期利用率（ラッシュの時間帯以外の時間帯における車両の使用率）が高い場合、或いは、高速道路利用率が高い場合、その車両のエコ度を高めに調整したりするようにしてもよい。ラッシュの時間帯や渋滞が発生するような区間における車両の利用を避けるよう促すためである。
【００４８】
エコ度表示手段１３は、エコ度算出手段１２が算出し、かつ、調整したエコ度を表示装置７に表示させるための手段であり、例えば、エコ度の値をそのまま数値で表示させたり、バーグラフで表示させたり、或いは、色を区別して表示させたりする（例えば、表示装置７の背景又は一部領域を、エコ度が高い順に、緑色、黄色、赤色で表示させる。）。
【００４９】
また、エコ度表示手段１３は、エコ度の推移をグラフ表示させてもよく、これまでの最高値、最低値、平均値等の統計値を表示させるようにしてもよい。エコドライブの実践を促すためである。
【００５０】
以上の構成により、エコドライブ支援装置１００は、エコドライブを行った時間又は走行距離の総走行時間又は総走行距離に占める割合としてエコ度を算出し表示するので、総走行時間又は総走行距離が大きい車両の運転者ばかりでなく、総走行時間又は総走行距離が小さい車両の運転者によるエコドライブをも促進することができる。
【００５１】
また、エコドライブ支援装置１００は、走行する道路の種別や混雑度等を考慮してエコ度を調整するので、経済速度での走行が困難な道路を頻繁に利用せざるを得ない運転者のエコドライブをも促進することができる。
【００５２】
次に、図３を参照しながら、特典付与装置Ｃについて説明する。なお、図３は、特典付与装置Ｃの構成例を示すブロック図であり、特典付与装置Ｃは、制御装置Ｃ１、通信装置Ｃ２及び記憶装置Ｃ３を含む。
【００５３】
制御装置Ｃ１は、ＣＰＵ、ＲＡＭ、ＲＯＭ等を備えたコンピュータであって、例えば、特典付与手段Ｃ１０に対応するプログラムをＲＯＭに記憶しながら、各手段に対応する処理をＣＰＵに実行させる。
【００５４】
通信装置Ｃ２は、車両と特典付与装置Ｃとの間の通信を制御するための装置であり、例えば、ＤＳＲＣや携帯電話周波数を用いた無線通信を制御する装置であって、所定周期で要求信号を発信し、その要求信号に応じて車両が返信するエコ度通知信号を受信する。
【００５５】
また、通信装置Ｃ２は、要求信号を発信することなく、車両が定期的に発信するエコ度通知信号を受信するようにしてもよい。
【００５６】
記憶装置Ｃ３は、各種情報を記憶するための装置であり、例えば、ハードディスクやＤＶＤ等の記憶媒体であって、特典テーブルＣ３０等を格納する。なお、特典テーブルＣ３０については後述する。
【００５７】
制御装置Ｃ１における特典付与手段Ｃ１０は、特典付与装置Ｃを利用する車両のエコ度に応じて各種特典を付与するための手段であり、例えば、車両のエコ度に応じて駐車料金に対する割引率を付与したり、情報配信サーバの月額利用料金に対する割引率を付与したりする。
【００５８】
特典付与手段Ｃ１０は、車両が送信するエコ度通知信号を受信すると、記憶装置Ｃ３に記憶された特典テーブルＣ３０を参照し、エコ度通知信号に含まれるエコ度に対応する割引率を抽出する。
【００５９】
なお、特典付与手段Ｃ１０は、エコ度に加え、総走行時間、総走行距離等をも考慮して割引率を決定するようにしてもよく、エコ度通知信号に含まれる車両識別番号を取得しながら車両毎にエコ度、総走行時間、総走行距離等の推移を管理し、月間平均走行時間、年間平均走行距離等の統計値を算出しながら割引率等の特典内容を決定するようにしてもよい。
【００６０】
ここで、特典テーブルＣ３０の例を利用しながら特典付与手段Ｃ１０が特典を付与する処理について説明する。
【００６１】
特典テーブルＣ３０は、エコ度算出手段１２が算出、調整したエコ度とそのエコ度を実現した車両に付与される特典との間の関係を表すテーブルである。
【００６２】
図４及び図５は、特典テーブルＣ３０の構成例を示す図であり、図４は、特典付与装置Ｃの一例である駐車料金回収装置が有する特典テーブルＣ３０を示し、図５は、特典付与装置Ｃの別の一例である情報配信サーバが有する特典テーブルＣ３０ａを示す。
【００６３】
図４において、特典テーブルＣ３０は、「エコレベル」欄、「エコ度」欄、「総走行距離」欄及び「割引率」欄から構成される。
【００６４】
ここで、特典テーブル３０は、総走行距離にかかわらず、エコ度が５０％以上であれば、エコレベルが「１」であり、駐車料金の３％割引が付与されることを示す。
【００６５】
また、特典テーブル３０は、総走行距離が１０００ｋｍ以上で、かつ、エコ度が５０％以上であれば、エコレベルが「２」であり、駐車料金の１０％割引が付与されることを示す。
【００６６】
特典付与手段Ｃ１０は、特典テーブルＣ３０を参照することで、エコ度が所定値以上であれば、総走行距離が増大するにつれて特典として付与する駐車料金の割引率を増大させるので、長距離走行を楽しむ運転者によるエコドライブを促進することができる。
【００６７】
また、図５において、特典テーブルＣ３０ａは、「エコレベル」欄、「エコ度」欄、「月間平均走行時間」欄及び「割引率」欄から構成される。
【００６８】
ここで、特典テーブルＣ３０ａは、月間平均走行時間が５０時間以上１００時間未満で、かつ、エコ度が６０％以上であれば、エコレベルが「Ａ」であり、情報配信サーバを利用するための月額利用料金の３％割引が付与されることを示す。
【００６９】
また、特典テーブルＣ３０ａは、月間平均走行時間が３０時間以上５０時間未満で、かつ、エコ度が６０％以上であれば、エコレベルが「Ｂ」であり、情報配信サーバを利用するための月額利用料金の５％割引が付与されることを表す。
【００７０】
特典付与手段Ｃ１０は、特典テーブルＣ３０ａを参照することで、エコ度が所定値以上であれば、総走行時間が短いほど特典として付与する月額利用料金の割引率を増大させるので、たまにしか車両を運転しないような運転者によるエコドライブを促進することができる。
【００７１】
以上の構成により、エコドライブ支援システムＳＹＳは、特典テーブルＣ３０の構成を変更することで、運転環境、車両利用状況、車両利用目的等の異なる多様な運転者のそれぞれに応じた特典付与体系を構築することができ、それら多様な運転者によるエコドライブを促進することができる。
【００７２】
また、エコドライブ支援システムＳＹＳは、情報配信サーバの月額利用料金に対する割引を付与することでその情報配信サーバの利用を更に普及させることもできる。
【００７３】
次に、図６を参照しながら、エコドライブ支援装置１００がエコドライブの状態を運転者に知らせる処理（以下、「エコドライブ状態通知処理」とする。）について説明する。なお、図６は、エコドライブ通知処理の流れを示すフローチャートであり、エコドライブ支援装置１００は、所定周期（例えば、１秒刻みである。）で繰り返しエコドライブ状態通知処理を実行することとする。
【００７４】
最初に、エコドライブ支援装置１００における制御装置１のエコドライブ判定手段１１は、走行状態検出装置２が出力する各種情報に基づいて自車両がエコドライブを行っているか否かを判定する（ステップＳ１）。
【００７５】
エコドライブが行われていると判定した場合（ステップＳ１のＹＥＳ）、エコドライブ判定手段１１は、エコランプ６に制御信号を出力してエコランプ６を点灯させるようにする（ステップＳ２）。
【００７６】
一方、エコドライブが行われていないと判定した場合（ステップＳ１のＮＯ）、エコドライブ判定手段１１は、エコランプ６を点灯させることなく、次のステップに移行する。
【００７７】
その後、エコ度算出手段１２は、走行情報収集手段１０が走行情報ＤＢ５０に記録した走行情報に基づいて自車両のエコ度を算出し（ステップＳ３）、エコ度表示手段１３は、その算出されたエコ度を表示装置７に表示させる（ステップＳ４）。
【００７８】
このように、エコドライブ支援装置１００は、エコランプ６を通じて現在の運転がエコドライブに該当するか否かを運転者に提示しながら、過去の運転を総合的に判断したエコ度を同時に表示させ運転者のエコドライブに対する意識を高めることで、エコドライブの実践を促進することができる。
【００７９】
また、エコドライブ支援装置１００は、エコランプ６や表示装置７を通じて、運転者の環境保護に対する貢献度を実感させたり、運転者がゲーム感覚でエコドライブを実践できるようにしたりすることで、エコドライブの実践を更に促進することができる。
【００８０】
次に、図７を参照しながら、エコドライブ支援システムＳＹＳが所定のエコ度を実現した車両に特典を付与する処理（以下、「特典付与処理」とする。）について説明する。なお、図７は、特典付与処理の流れを示すフローチャートであり、特典付与装置Ｃは、駐車料金回収装置であって、車両が発信するエコ度通知信号を受信した場合に、特典付与処理を実行することとする。
【００８１】
最初に、駐車料金回収装置における制御装置Ｃ１の特典付与手段Ｃ１０は、通信装置Ｃ２を介して受信したエコ度通知信号に含まれるエコ度及び総走行距離等を抽出して取得する（ステップＳ１１）。
【００８２】
その後、特典付与手段Ｃ１０は、記憶装置Ｃ３に格納された特典テーブルＣ３０を参照して（図４参照。）、取得したエコ度及び総走行距離に適合するエコレベルを特定し、そのエコレベルの割引率を抽出する（ステップＳ１２）。
【００８３】
その後、特典付与手段Ｃ１０は、抽出した割引率を標準駐車料金に適用し（ステップＳ１３）、割引後の駐車料金をその車両から徴収するようにする。
【００８４】
このように、エコドライブ支援システムＳＹＳは、各車両のエコ度に応じて各種特典を付与することで、多様な運転者によるエコドライブの実践を更に促進することができる。
【００８５】
以上、本発明の好ましい実施例について詳説したが、本発明は、上述した実施例に制限されることはなく、本発明の範囲を逸脱することなしに上述した実施例に種々の変形及び置換を加えることができる。
【００８６】
例えば、上述の実施例において、エコ度表示手段１３は、自車両のエコ度の推移等を表示させるが、通信装置４を利用しながら他車両のエコ度に関する情報を取得し、自車両のエコ度の順位や他車両の平均エコ度等を表示させ、ゲーム感覚をより高めるようにしてもよい。エコドライブに対する関心を更に高めるようにするためである。
【符号の説明】
【００８７】
１、Ｃ１  制御装置
２      走行状態検出装置
３      ナビゲーション装置
４、Ｃ２  通信装置
５、Ｃ３  記憶装置
６      エコランプ
７      表示装置
１０    走行情報収集手段
１１    エコドライブ判定手段
１２    エコ度算出手段
１３    エコ度表示手段
５０    走行情報データベース
１００  エコドライブ支援装置
Ｃ      特典付与装置
Ｃ１０  特典付与手段
Ｃ３０、Ｃ３０ａ  特典テーブル
ＳＹＳ  エコドライブ支援システム
Ｖ１〜Ｖ３  車両
【図１】
2011093532.tif 000003
【図２】
2011093532.tif 000004
【図３】
2011093532.tif 000005
【図４】
2011093532.tif 000006
【図５】
2011093532.tif 000007
【図６】
2011093532.tif 000008
【図７】
2011093532.tif 000009